(57)【要約】【課題】大きなフォーカス操作回転角の確保、或いは特定領域におけるフォーカス操作回転角と光学系移動量の関係を非線形とすることにより操作性を向上したレンズ鏡筒を提供すること。【解決手段】固定鏡筒の外側に配置された環状ヘリコイドのめねじ部材が回転操作筒であり、前記固定鏡筒の外側に配置された前記ヘリコイドのおねじ部材は前記固定鏡筒の内側に配置された移動光学系とカムフォロアにより連結しており、該カムフォロアは前記固定鏡筒に設けたガイドカムに係合して案内され、前記回転操作筒の回転により前記移動光学系を光軸方向に移動させることを特徴とする。【選択図】図２
2014215345.tif 000002
【特許請求の範囲】
【請求項１】
固定鏡筒の外側に配置された環状ヘリコイドのめねじ部材が回転操作筒であり、前記固定鏡筒の外側に配置された前記ヘリコイドのおねじ部材は前記固定鏡筒の内側に配置された移動光学系とカムフォロアにより連結しており、該カムフォロアは前記固定鏡筒に設けたガイドカムに係合して案内され、前記回転操作筒の回転により前記移動光学系を光軸方向に移動させることを特徴とするレンズ鏡筒。 
【請求項２】
前記ガイドカムの形状が非線形であることを特徴とする請求項１に記載のレンズ鏡筒。
【請求項３】
前記カムフォロアは前記移動光学系の円周上に複数配され、前記ガイドカムは前記固定鏡筒の円周上に複数設けられていることを特徴とする請求項１又は請求項２に記載のレンズ鏡筒。 
【発明の詳細な説明】
【技術分野】
【０００１】
本発明は送り機構に関し、特にレンズ鏡筒のフォーカス送り機構に関するものである。
【背景技術】
【０００２】
従来ヘリコイドねじを用いたフォーカス送り機構の操作性向上においては、送りガイドとして非線形カムを設けていた。
【０００３】
例えば、特許文献１ではヘリコイドねじのめねじ部材が固定鏡筒であり、おねじ部材に突設したカムフォロアと係合するガイドカムを前記めねじ部材の外側に配した回転操作筒に設けている。該回転操作筒の回転が前記カムフォロアを介して前記おねじ部材と一体化したフォーカス移動光学系を光軸方向に駆動する機構であり、前記ガイドカムを非線形形状とすることで操作性の向上を図る技術が開示されている。
【先行技術文献】
【特許文献】
【０００４】
【特許文献１】特許第０２７６３３２４号明細書
【発明の概要】
【発明が解決しようとする課題】
【０００５】
しかしながら、上述の特許文献に開示された従来技術では固定鏡筒である前記めねじ部材に操作回転角以上の角度を有する前記カムフォロアの軌道を逃げるための貫通溝が必要となる。従ってフォーカス操作回転角を大きくするとレンズの強度不足や光学系の送り精度の低下を招いた。
【０００６】
そこで本発明の目的は、大きなフォーカス操作回転角の確保、或いは特定領域におけるフォーカス操作回転角と光学系移動量の関係を非線形とすることにより操作性を向上したレンズ鏡筒を提供することである。
【課題を解決するための手段】
【０００７】
上記目的を達成するために、本発明は、固定鏡筒の外側に配置された環状ヘリコイドのめねじ部材が回転操作筒であり、前記固定鏡筒の外側に配置された前記ヘリコイドの    おねじ部材は前記固定鏡筒の内側に配置された移動光学系とカムフォロアにより連結しており、該カムフォロアは前記固定鏡筒に設けたガイドカムに係合して案内され、前記回転操作筒の回転により前記移動光学系を光軸方向に移動させることを特徴とする。
【発明の効果】
【０００８】
本発明によれば大きなフォーカス操作回転角の確保、或いは特定領域におけるフォーカス操作回転角と光学系移動量の関係を非線形とすることにより操作性を向上したレンズ鏡筒を提供することができる。
【図面の簡単な説明】
【０００９】
【図１】本発明の第一の実施例であるズームレンズのフォーカス部を示す概略断面図
【図２】本発明の第一の実施例であるズームレンズのフォーカス部を示す概略展開図
【発明を実施するための形態】
【００１０】
以下に、本発明の好ましい実施の形態を、添付の図面に基づいて詳細に説明する。図１は、本発明の実施形態にかかわるズームレンズのフォーカス送り機構にヘリコイドねじを用いたレンズ鏡筒の概略構造説明図である。
【００１１】
また、図２は、上記レンズ鏡筒の概略展開図である。
【００１２】
［実施例１］
以下、図１及び図２を参照して、本発明の第１の実施例による、ズームレンズのフォーカス送り機構にヘリコイドねじを用いたレンズ鏡筒について説明する。
【００１３】
図１に示すように、１はズームレンズ、２は固定鏡筒、２aは固定鏡筒２に設けられたガイドカム、３は回転操作筒、３aは回転操作筒３の内周部に設けられたヘリコイドめねじである。４は固定鏡筒２の外側に配置された移動筒、４aは移動筒４の外周部に設けられたヘリコイドおねじ、５はカムフォロア、６はフォーカス移動光学系である。固定鏡筒２の外側に配置した移動筒４は、フォーカス移動光学系６の円周上に突設した１つまたは複数のカムフォロア５と嵌合している。固定鏡筒２には１つまたは複数のカムフォロア５と係合する１つまたは複数の同一ガイドカム２aを設けている。
【００１４】
図２は上述のフォーカス構造における固定鏡筒２を円周方向に展開した展開図であり、固定鏡筒２に設けられたガイドカム２aと係合したカムフォロア６がガイドカム２aの軌道に案内されて送られる様子を示している。
【００１５】
以上のような構造において、撮影者が回転操作筒３を回転操作すると、ヘリコイドめねじ３aと螺合するヘリコイドおねじ４aはズームレンズ１の光軸方向にヘリコイドねじの勾配により送られる。一方、１つまたは複数のカムフォロア５は固定鏡筒２に設けられた１つまたは複数の同一ガイドカム２aに係合して案内される。移動筒４と１つまたは複数のカムフォロア５及びフォーカス移動光学系６は一体化して作動するため、フォーカス移動光学系６はガイドカム２aの軌道とヘリコイドねじの勾配を合成した軌道に案内されてズームレンズ１の光軸方向に送られる。
【００１６】
図２において、フォーカス移動光学系６をズームレンズ１の光軸方向にｘだけ移動させるための回転操作筒３の回転角はα+βとなる。 
【００１７】
ここでガイドカム２aの形状をズームレンズ１の光軸と平行な直進カムとすれば、回転操作筒３の回転角とフォーカス移動光学系６の光軸方向への送り量の関係はヘリコイドねじの勾配と等しくなる。
【００１８】
本実施例のようにガイドカム２aの光軸に対する勾配をフォーカス至近側に行くほど大きくするような非線形形状とすれば、フォーカス至近側における回転操作角に対するフォーカス移動光学系６の移動量が小さくなり、微調操作が可能になる。同様にガイドカム２aの光軸に対する勾配をフォーカス無限側に行くほど大きくするような非線形形状とすれば、フォーカス無限側における微調操作が可能となる。 
【００１９】
また固定鏡筒２にガイドカム２aを設けたことにより、フォーカス操作回転角を大きくしてもガイドカム２aと係合するカムフォロア５の回転角は大きくならないため、操作回転角以上の角度を有する逃げ溝を設ける必要が無い。
【００２０】
従って、フォーカス全域における操作性の向上を図るべく例えば１８０度以上の大きなフォーカス操作回転角を設定した場合においても、ズームレンズ１の構造強度を維持したまま高精度なレンズ鏡筒が構築できる。 
【００２１】
以上、本発明の好ましい実施形態について説明したが、本発明はこれらの実施形態に限定されず、その要旨の範囲内で種々の変形及び変更が可能である。
【００２２】
撮影レンズのフォーカス送り機構にヘリコイドねじを用いたレンズ鏡筒として利用される。
【符号の説明】
【００２３】
１ ：ズームレンズ
２ ：固定鏡筒
２a：ガイドカム
３ ：回転操作筒
３a：ヘリコイドめねじ
４ ：移動筒
４a：ヘリコイドおねじ
５ ：カムフォロア
６ ：フォーカス移動光学系 
【図１】
2014215345.tif 000003
【図２】
2014215345.tif 000004